【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
入力画像の画像方式を異なる出力画像の画像方式に画像変換する画像変換方法であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換し、
上記第１の順次走査画像をフレーム単位で間引くことにより、ｎ（ｎは１以上の整数）フレーム／秒のフレーム周波数を有する第２の順次走査画像にフレーム数変換し、
上記第２の順次走査画像を２ｎフィールド／秒のフィールド周波数を有する第２の飛び越し走査画像に飛び越し走査変換し出力する、
ことを特徴とする画像変換方法。
【請求項２】
入力画像の画像方式を異なる出力画像の画像方式に変換する画像変換方法であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換し、
上記第１の順次走査画像をフレーム単位で繰り返す、または間引くことにより、ｎ（ｎは１以上の整数）フレーム／秒のフレーム周波数を有する第２の順次走査画像にフレーム数変換し出力する、
ことを特徴とする画像変換方法。
【請求項３】
入力画像の画像方式を異なる出力画像の画像方式に変換する画像変換方法であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換し、
上記第１の順次走査画像をフレーム単位で繰り返す、または間引くことにより、ｎ（ｎは２以上の整数）フレーム／秒のフレーム周波数を有する第２の順次走査画像にフレーム数変換し、
上記第２の順次走査画像をｎフィールド／秒のフィールド周波数を有する第２の飛び越し走査画像に飛び越し走査変換し、
上記第２の順次走査画像と、上記第２の飛び越し走査画像と、を同時に出力する、
ことを特徴とする画像変換方法。
【請求項４】
入力画像の画像方式を異なる出力画像の画像方式に変換する画像変換方法であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換し、
上記第１の順次走査画像をフレーム単位で間引くことにより、ｎ（ｎは１以上の整数）フレーム／秒のフレーム周波数を有する、水平ｉ画素、垂直ｗ画素の画面サイズの第２の順次走査画像にフレーム数変換し、
上記第２の順次走査画像を、２ｎフィールド／秒のフィールド周波数を有する、水平ｉ画素、垂直ｗ画素の画面サイズの第２の飛び越し走査画像に飛び越し走査変換し出力する、
ことを特徴とする画像変換方法。
【請求項５】
入力画像の画像方式を異なる出力画像の画像方式に変換する画像変換方法であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換し、
上記第１の順次走査画像をフレーム単位で繰り返す、または間引くことにより、ｎ（ｎは１以上の整数）フレーム／秒のフレーム周波数を有する、水平ｉ画素、垂直ｗ画素の画面サイズの第２の順次走査画像にフレーム数変換し出力する、
ことを特徴とする画像変換方法。
【請求項６】
入力画像の画像方式を異なる出力画像の画像方式に変換する画像変換方法であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換し、
上記第１の順次走査画像をフレーム単位で繰り返す、または間引くことにより、ｎ（ｎは２以上の整数）フレーム／秒のフレーム周波数を有する、水平ｉ画素、垂直ｗ画素の画面サイズの第２の順次走査画像にフレーム数変換し、
上記第２の順次走査画像をｎフィールド／秒のフィールド周波数を有する、水平ｉ画素、垂直ｗ画素の画面サイズの第２の飛び越し走査画像に飛び越し走査変換し、
上記第２の順次走査画像と、上記第２の飛び越し走査画像と、を同時に出力する、
ことを特徴とする画像変換方法。
【請求項７】
請求項１ないし請求項６のいずれか１項に記載の画像変換方法において、
上記入力画像のライン数を上記出力画像の画像方式のライン数にライン数変換し、上記順次走査変換を行う、
ことを特徴とする画像変換方法。
【請求項８】
請求項１ないし請求項６のいずれか１項に記載の画像変換方法において、
上記順次走査画像のライン数を出力画像の画像方式のライン数にライン数変換し、上記フレーム数変換を行う、
ことを特徴とする画像変換方法。
【請求項９】
請求項１ないし請求項６のいずれか１項に記載の画像変換方法において、
上記順次走査変換を、上記入力画像のライン数を上記出力画像の画像方式のライン数に変換するライン数変換と同時に行う、
ことを特徴とする画像変換方法。
【請求項１０】
請求項１、請求項３、請求項４、または請求項６に記載の画像変換方法において、
上記第１の飛び越し走査画像はＰＡＬ方式の画像であり、
上記第２の飛び越し走査画像はＮＴＳＣ方式の画像である、
ことを特徴とする画像変換方法。
【請求項１１】
請求項１ないし請求項６のいずれか１項に記載の画像変換方法において、
上記第１の飛び越し走査画像はＰＡＬ方式の画像であり、
上記第２の順次走査画像はＮＴＳＣ方式の画面サイズを有する順次走査画像である、
ことを特徴とする画像変換方法。
【請求項１２】
請求項１、請求項３、請求項４、または請求項６に記載の画像変換方法において、
上記第１の飛び越し走査画像はＮＴＳＣ方式の画像であり、
上記第２の飛び越し走査画像はＰＡＬ方式の画像である、
ことを特徴とする画像変換方法。
【請求項１３】
請求項１ないし請求項６のいずれか１項に記載の画像変換方法において、
上記第１の飛び越し走査画像はＮＴＳＣ方式の画像であり、
上記第２の順次走査画像はＰＡＬ方式の画面サイズを有する順次走査画像である、
ことを特徴とする画像変換方法。
【請求項１４】
請求項１ないし請求項６のいずれか１項に記載の画像変換方法において、
上記入力画像の画像方式を判別し、該判別の結果に基づいて上記入力画像の画像変換を行う、
ことを特徴とする画像変換方法。
【請求項１５】
請求項１４に記載の画像変換方法において、
上記判別の結果、上記入力画像がＮＴＳＣ方式の場合はＰＡＬ方式に画像変換し、上記入力画像がＰＡＬ方式の場合はＮＴＳＣ方式に画像変換する、
ことを特徴とする画像変換方法。
【請求項１６】
請求項１５に記載の画像変換方法において、
上記ＰＡＬ方式に変換された画像と、上記ＮＴＳＣ方式に変換された画像と、を同時に出力する、
ことを特徴とする画像変換方法。
【請求項１７】
請求項１４に記載の画像変換方法において、
上記判別の結果、上記入力画像の画像方式が出力画像の画像方式と同じである場合は、該入力画像をそのまま出力画像として出力し、上記入力画像の画像方式が出力画像の画像方式と異なる場合は、該入力画像を出力画像の画像方式に変換する、
ことを特徴とする画像変換方法。
【請求項１８】
入力画像の画像方式を異なる出力画像の画像方式に変換する画像変換装置であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換する順次走査変換器と、
上記第１の順次走査画像をフレーム単位で間引くことにより、ｎ（ｎは１以上の整数）フレーム／秒のフレーム周波数を有する第２の順次走査画像にフレーム数変換するフレーム数変換器と、
上記第２の順次走査画像を２ｎフィールド／秒のフィールド周波数を有する第２の飛び越し走査画像に飛び越し走査変換し出力する飛び越し走査変換器と、を備えた、
ことを特徴とする画像変換装置。
【請求項１９】
入力画像の画像方式を異なる出力画像の画像方式に変換する画像変換装置であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換する順次走査変換器と、
上記第１の順次走査画像をフレーム単位で繰り返す、または間引くことにより、ｎ（ｎは１以上の整数）フレーム／秒のフレーム周波数を有する第２の順次走査画像にフレーム数変換し出力するフレーム数変換器と、を備えた、
ことを特徴とする画像変換装置。
【請求項２０】
入力画像の画像方式を異なる出力画像の画像方式に変換する画像変換装置であって、
上記入力画像をｍ（ｍは２以上の整数）フィールド／秒のフィールド周波数を有する第１の飛び越し走査画像とし、該第１の飛び越し走査画像をｍフレーム／秒のフレーム周波数を有する第１の順次走査画像に順次走査変換する順次走査変換器と、
上記第１の順次走査画像をフレーム単位で間引くことにより、ｎ（ｎは２以上の整数）フレーム／秒のフレーム周波数を有する第２の順次走査画像にフレーム数変換し出力するフレーム数変換器と、
上記第２の順次走査画像をｎフィールド／秒のフィールド周波数を有する第２の飛び越し走査画像に飛び越し走査変換し、上記第２の順次走査画像と同時に出力する飛び越し走査変換器と、を備えた、
ことを特徴とする画像変換装置。
【請求項２１】
入力画像の画像方式を異なる出力画像の画像方式に変換する画像変換装置であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換する順次走査変換器と、
上記第１の順次走査画像をフレーム単位で間引くことにより、ｎ（ｎは１以上の整数）フレーム／秒のフレーム周波数を有する、水平ｉ画素、垂直ｗ画素の画面サイズの第２の順次走査画像にフレーム数変換するフレーム数変換器と、
上記第２の順次走査画像を、２ｎフィールド／秒のフィールド周波数を有する、水平ｉ画素、垂直ｗ画素の画面サイズの第２の飛び越し走査画像に飛び越し走査変換し出力する飛び越し走査変換器と、を備えた、
ことを特徴とする画像変換装置。
【請求項２２】
入力画像の画像方式を異なる出力画像の画像方式に変換する画像変換装置であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換する順次走査変換器と、
上記第１の順次走査画像をフレーム単位で繰り返す、または間引くことにより、ｎ（ｎは１以上の整数）フレーム／秒のフレーム周波数を有する、水平ｉ画素、垂直ｗ画素の画面サイズの第２の順次走査画像にフレーム数変換し出力するフレーム数変換器と、を備えた、
ことを特徴とする画像変換装置。
【請求項２３】
入力画像の画像方式を異なる出力画像の画像方式に変換する画像変換装置であって、
上記入力画像をｍ（ｍは２以上の整数）フィールド／秒のフィールド周波数を有する、水平ｈ画素、垂直ｖ画素の画面サイズの第１の飛び越し走査画像とし、該第１の飛び越し走査画像を、ｍフレーム／秒のフレーム周波数を有する、水平ｉ画素、垂直ｗ画素の画面サイズの第１の順次走査画像に順次走査変換する順次走査変換器と、
上記第１の順次走査画像をフレーム単位で繰り返す、または間引くことにより、ｎ（ｎは２以上の整数）フレーム／秒のフレーム周波数を有する、水平ｉ画素、垂直ｗ画素の画面サイズの第２の順次走査画像にフレーム数変換し出力するフレーム数変換器と、
上記第２の順次走査画像をｎフィールド／秒のフィールド周波数を有する、水平ｉ画素、垂直ｗ画素の画面サイズの第２の飛び越し走査画像に飛び越し走査変換し、上記第２の順次走査画像と同時に出力する飛び越し走査変換器と、を備えた、
ことを特徴とする画像変換装置。
【請求項２４】
入力画像の画像方式を異なる出力画像の画像方式に変換する画像変換装置であって、
上記入力画像の画像方式を判別する判別手段と、
上記入力画像の画像方式が第１の画像方式である場合、第２の画像方式に変換し出力する第１の画像変換手段と、
上記入力画像の画像方式が第２の画像方式である場合、第１の画像方式に変換し出力する第２の画像変換手段と、
上記判別手段の判別の結果に基づいて上記第１の画像変換手段と上記第２の画像変換手段とを切り替える切り替え手段と、を備えた、
ことを特徴とする画像変換装置。
【手続補正２】
【補正対象書類名】明細書
【補正対象項目名】００２８
【補正方法】削除
【補正の内容】
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】変更
【補正の内容】
【００３４】
また、本発明の請求項２４にかかる画像変換装置は、入力画像の画像方式を異なる出力画像の画像方式に変換する画像変換装置であって、上記入力画像の画像方式を判別する判別手段と、上記入力画像の画像方式が第１の画像方式である場合、第２の画像方式に変換し出力する第１の画像変換手段と、上記入力画像の画像方式が第２の画像方式である場合、第１の画像方式に変換し出力する第２の画像変換手段と、上記判別手段の判別の結果に基づいて上記第１の画像変換手段と上記第２の画像変換手段とを切り替える切り替え手段と、を備えたことを特徴とするものである。
【手続補正９】
【補正対象書類名】明細書
【補正対象項目名】００３５
【補正方法】削除
【補正の内容】
【手続補正１０】
【補正対象書類名】明細書
【補正対象項目名】０１４４
【補正方法】削除
【補正の内容】
【手続補正１１】
【補正対象書類名】明細書
【補正対象項目名】０１４５
【補正方法】削除
【補正の内容】
【手続補正１２】
【補正対象書類名】明細書
【補正対象項目名】０１４６
【補正方法】削除
【補正の内容】
【手続補正１３】
【補正対象書類名】明細書
【補正対象項目名】０１４７
【補正方法】削除
【補正の内容】
【手続補正１４】
【補正対象書類名】明細書
【補正対象項目名】０１４８
【補正方法】削除
【補正の内容】
【手続補正１５】
【補正対象書類名】明細書
【補正対象項目名】０１４９
【補正方法】削除
【補正の内容】
【手続補正１６】
【補正対象書類名】明細書
【補正対象項目名】０１５０
【補正方法】変更
【補正の内容】
【０１５０】
また、本発明の請求項２４に記載の画像変換装置によれば、入力画像の画像方式を異なる出力画像の画像方式に変換する画像変換装置であって、上記入力画像の画像方式を判別する判別手段と、上記入力画像の画像方式が第１の画像方式である場合、第２の画像方式に変換し出力する第１の画像変換手段と、上記入力画像の画像方式が第２の画像方式である場合、第１の画像方式に変換し出力する第２の画像変換手段と、上記判別手段の判別の結果に基づいて上記第１の画像変換手段と上記第２の画像変換手段とを切り替える切り替え手段と、を備えたことより、異なる画像フォーマット間の変換を行う際に、簡単な構成で、入力画像の画像方式を自動的に判別し、該判別の結果に応じて画像変換を行い、時間方向の動きの不自然さがない出力画像を得ることができる。
【手続補正１７】
【補正対象書類名】明細書
【補正対象項目名】０１５１
【補正方法】削除
【補正の内容】